(57)【要約】【課題】上調整金具が下方へ撓むような事態が起こりにくく、下枠や下調整金具の構造も簡素化することができる機器収納用ラックを提供する。【解決手段】上調整金具１１を、左右方向へ延びる金属板からなるものとし、上調整金具１１の左右方向で内側の端部に上方へ折り曲げられた折り曲げ部１１ａを設け、該折り曲げ部１１ａの上端に、上側辺部材１０のスリット１４、１４・・を利用して上側辺部材１０に固定可能なネジ止め孔１９、１９を穿設する一方、折り曲げ部１１ａの下端に、マウントアングル７の上端を固定可能な連結孔１８、１８を穿設した。また、上調整金具１１の左右方向で外側の端部にも上方へ折り曲げられた折り曲げ部１１ｂを設け、該折り曲げ部１１ｂに、上側辺部材１０の固定孔１５、１５・・を利用して上側辺部材１０に固定可能な丸孔１７、１７を穿設した。【選択図】図５
2022002283.tif 000002
【特許請求の範囲】
【請求項１】
矩形枠状の上枠及び下枠を有しているとともに、機器を設置するためのマウントアングルが、前記上枠から前記下枠にかけて調整金具を介して架設されてなる機器収納用ラックであって、
前記上枠が、上前辺部材、上後辺部材、及び２つの上側辺部材を矩形枠状に組んでなり、前記上側辺部材の左右方向で内側の縁部に第１の被固定部が、外側の縁部に第２の被固定部が夫々設けられているとともに、
前記マウントアングルの上端と前記上枠との間に介在される上調整金具が、左右方向へ延びる金属板からなり、
前記上調整金具の左右方向で内側の端部は上下方向に折り曲げられ、該内側の折り曲げ部の上部に前記第１の被固定部に固定可能な第１の固定部が、前記内側の折り曲げ部の下部に前記マウントアングルの上端を連結可能な上連結部が夫々設けられている一方、
前記上調整金具の左右方向で外側の端部に、前記第２の被固定部に固定可能な第２の固定部が設けられていることを特徴とする機器収納用ラック。
【請求項２】
前記上側辺部材における前後方向で少なくとも何れか一方の端部に、前記上枠を組むにあたって、前記上前辺部材若しくは前記上後辺部材の表面に当接可能な平面部が設けられていることを特徴とする請求項１に記載の機器収納用ラック。
【請求項３】
前記下枠が、下前辺部材、下後辺部材、及び２つの下側辺部材を矩形枠状に組んでなり、前記下側辺部材の左右方向で内側の縁部に第１の被取付部が、外側の縁部に第２の被取付部が夫々設けられているとともに、
前記マウントアングルの下端と前記下枠との間に介在される下調整金具が、左右方向へ延びる金属板からなり、
前記下調整金具の左右方向で内側の端部は上下方向に折り曲げられ、該内側の折り曲げ部の上部に前記マウントアングルの下端を連結可能な下連結部が、前記内側の折り曲げ部の下部に前記第１の被取付部に取付可能な第１の取付部が夫々設けられている一方、
前記下調整金具の左右方向で外側の端部に、前記第２の被取付部に取付可能な第２の取付部が設けられていることを特徴とする請求項１又は２に記載の機器収納用ラック。
【発明の詳細な説明】
【技術分野】
【０００１】
本発明は、たとえばラックマウントタイプの電気機器等を収納可能な機器収納用ラックに関するものである。
【背景技術】
【０００２】
従来、一般的な機器収納用ラックでは、天面を構成する上枠と、底面を構成する下枠とにわたってマウントアングルが架設されており、該マウントアングルに通信機器や情報機器等の各種電気機器が設置されるようになっている（たとえば特許文献１）。そして、従来の機器収納用ラックにおいて、マウントアングルと上枠とは上調整金具を介して連結されており、マウントアングルと下枠とは下調整金具を介して連結されている。
【０００３】
ここで、図１０をもとに従来の上調整金具６０について説明すると、上調整金具６０は左右方向へ延びる帯状の金属板の左右両端を下方へ折り曲げてなるもので、一端側の折り曲げ部が上枠６１との連結部として、他端側の折り曲げ部がマウントアングル７０の上端との連結部として機能するようになっている。一方、図１１をもとに従来の下調整金具６２について説明すると、該下調整金具６２も左右方向へ延びる帯状の金属板からなる。ただ、下調整金具６２の左右方向での中央部分には、上下方向へ段差が形成されており、該段差となる上下方向への壁面が、マウントアングル７０の下端との連結部とされている。また、下調整金具６２の左右両端部は、様々な方向への折り曲げ加工が施されており、それらの折り曲げ部が下枠６３との連結部とされている。加えて、下枠６３にも、上下方向へ２段階に段差が形成されたり、折り返したりといったような複雑な折り曲げ加工が施されている。
【先行技術文献】
【特許文献】
【０００４】
【特許文献１】特開２０１４−２７０８２号公報
【発明の概要】
【発明が解決しようとする課題】
【０００５】
上述したような従来のマウントアングルの上枠や下枠との連結機構によれば、上調整金具が、左右方向での一端側でしか上枠と一体化されていないため、マウントアングルへの電気機器の設置に伴って下方へ撓むように変形するおそれがあるという問題があった。また、電気機器の設置に伴って、マウントアングルの下端に大きな負荷がかかるため、下調整金具や下枠の強度を確保する必要性から、それらに複雑な折り曲げ加工を施さなければならず、製造コストが嵩んでしまうという問題もあった。
【０００６】
そこで、本発明は、上記問題に鑑みなされたものであって、上調整金具が下方へ撓むような事態が起こりにくく、下枠や下調整金具の構造も簡素化することができる機器収納用ラックを提供しようとするものである。
【課題を解決するための手段】
【０００７】
上記目的を達成するために、本発明のうち請求項１に記載の発明は、矩形枠状の上枠及び下枠を有しているとともに、機器を設置するためのマウントアングルが、前記上枠から前記下枠にかけて調整金具を介して架設されてなる機器収納用ラックであって、前記上枠が、上前辺部材、上後辺部材、及び２つの上側辺部材を矩形枠状に組んでなり、前記上側辺部材の左右方向で内側の縁部に第１の被固定部が、外側の縁部に第２の被固定部が夫々設けられているとともに、前記マウントアングルの上端と前記上枠との間に介在される上調整金具が、左右方向へ延びる金属板からなり、前記上調整金具の左右方向で内側の端部は上下方向に折り曲げられ、該内側の折り曲げ部の上部に前記第１の被固定部に固定可能な第１の固定部が、前記内側の折り曲げ部の下部に前記マウントアングルの上端を連結可能な上連結部が夫々設けられている一方、前記上調整金具の左右方向で外側の端部に、前記第２の被固定部に固定可能な第２の固定部が設けられていることを特徴とする。
請求項２に記載の発明は、請求項１に記載の発明において、前記上側辺部材における前後方向で少なくとも何れか一方の端部に、前記上枠を組むにあたって、前記上前辺部材若しくは前記上後辺部材の表面に当接可能な平面部が設けられていることを特徴とする。
請求項３に記載の発明は、請求項１又は２に記載の発明において、前記下枠が、下前辺部材、下後辺部材、及び２つの下側辺部材を矩形枠状に組んでなり、前記下側辺部材の左右方向で内側の縁部に第１の被取付部が、外側の縁部に第２の被取付部が夫々設けられているとともに、前記マウントアングルの下端と前記下枠との間に介在される下調整金具が、左右方向へ延びる金属板からなり、前記下調整金具の左右方向で内側の端部は上下方向に折り曲げられ、該内側の折り曲げ部の上部に前記マウントアングルの下端を連結可能な下連結部が、前記内側の折り曲げ部の下部に前記第１の被取付部に取付可能な第１の取付部が夫々設けられている一方、前記下調整金具の左右方向で外側の端部に、前記第２の被取付部に取付可能な第２の取付部が設けられていることを特徴とする。
【発明の効果】
【０００８】
本発明によれば、マウントアングルの上端と上枠との間に介在される上調整金具が、左右方向へ延びる金属板からなり、上調整金具の左右方向で内側の端部は上下方向に折り曲げられ、該内側の折り曲げ部の上部に第１の被固定部に固定可能な第１の固定部が、内側の折り曲げ部の下部にマウントアングルの上端を連結可能な上連結部が夫々設けられている一方、上調整金具の左右方向で外側の端部に、第２の被固定部に固定可能な第２の固定部が設けられている。したがって、上調整金具の左右両端において上枠と一体化されることになり、マウントアングルに電気機器が設置されたとしても上調整金具が変形するおそれのない機器収納用ラックとすることができる。
また、上調整金具の内側の折り曲げ部において、マウントアングルの上端が連結される上連結部の上方に、上側辺部材に固定する第１の固定部が設けられているため、マウントアングルに電気機器を設置した際、マウントアングルの下端にかかる負荷を軽減することができる。したがって、下枠や下調整金具に設ける強度向上のための曲げ加工を簡素化することができ、低コスト化を図ることもできる。
さらに、請求項２に記載の発明によれば、上側辺部材における前後方向で少なくとも何れか一方の端部に、上枠を組むにあたって、上前辺部材若しくは上後辺部材の表面に当接可能な平面部が設けられているため、上枠の強度向上を図ることができる。
加えて、請求項３に記載の発明によれば、マウントアングルの下端と下枠との間に介在される下調整金具が、左右方向へ延びる金属板からなり、下調整金具の左右方向で内側の端部は上下方向に折り曲げられ、該内側の折り曲げ部の上部にマウントアングルの下端を連結可能な下連結部が、内側の折り曲げ部の下部に第１の被取付部に取付可能な第１の取付部が夫々設けられている一方、下調整金具の左右方向で外側の端部に、第２の被取付部に取付可能な第２の取付部が設けられている。したがって、下枠や下調整金具の形状を従来よりも曲げ加工の少ない簡易な形状としているにも拘わらず、十分な強度を備えた機器収納用ラックとすることができ、更なる低コスト化を実現することができる。
【図面の簡単な説明】
【０００９】
【図１】機器収納用ラックの外観を示した斜視説明図である。
【図２】機器収納用ラックの天面を下方から見上げる格好で示した斜視説明図である。
【図３】上側辺部材を示した斜視説明図であり、（ａ）は上方から、（ｂ）は下方から夫々示している。
【図４】上調整金具を示した斜視説明図であり、（ａ）は上方から、（ｂ）は下方から夫々示している。
【図５】左後部に配するマウントアングルについて、上調整金具を介してマウントアングルの上端を上側辺部材に連結した状態を示した説明図である。
【図６】機器収納用ラックの底面を上方から見下ろす格好で示した斜視説明図である。
【図７】下側辺部材を示した斜視説明図であり、（ａ）は上方から、（ｂ）は下方から夫々示している。
【図８】下調整金具を示した斜視説明図であり、（ａ）は上方から、（ｂ）は下方から夫々示している。
【図９】左後部に配するマウントアングルについて、下調整金具を介してマウントアングルの下端を下側辺部材に連結した状態を示した説明図である。
【図１０】従来の機器収納用ラックにおいて、上調整金具を介してマウントアングルの上端を上枠に連結した状態を示した説明図である。
【図１１】従来の機器収納用ラックにおいて、下調整金具を介してマウントアングルの下端を下枠に連結した状態を示した説明図である。
【発明を実施するための形態】
【００１０】
以下、本発明の一実施形態となる機器収納用ラック（以下、単に「ラック」と称す）について、図面にもとづき詳細に説明する。
【００１１】
図１は、ラック１の外観を示した斜視説明図である。
ラック１は、矩形枠状の上枠２及び上枠２を上方から覆うように取り付けられる天板３を備えた天面と、矩形枠状の下枠４及び下枠４の底を塞ぐように取り付けられる底板５を備えた底面と、天面と底面との隅部同士を連結するように立設された柱部材６、６・・とを有する略直方体状のフレーム体として形成されてなる。また、ラック１の左右両側面内側で前部と後部とには、マウントアングル７、７・・が上枠２から下枠４にかけて架設されており、該マウントアングル７、７・・に図示しない固定金具を介して情報機器や通信機器等の各種電気機器を固定することにより、それらの電気機器をラック１内に収納可能となっている。
【００１２】
ここで、まず各マウントアングル７と上枠２との連結構造について、図２〜図５をもとに説明する。
図２は、ラック１の天面を下方から見上げる格好で示した斜視説明図である。図３は、上側辺部材１０を示した斜視説明図であり、（ａ）は上方から、（ｂ）は下方から夫々示している。図４は、上調整金具１１を示した斜視説明図であり、（ａ）は上方から、（ｂ）は下方から夫々示している。図５は、左後部に配するマウントアングル７について、上調整金具１１を介してマウントアングル７の上端を上側辺部材１０に連結した状態を示した説明図である。なお、図５では、上側辺部材１０の前部側等の構造を省略している。
【００１３】
上枠２は、前側に配される上前辺部材１２、後側に配される上後辺部材１３、及び左右両側に配される２つの上側辺部材１０、１０を有しており、上前辺部材１２と上後辺部材１３との左端同士及び右端同士を夫々上側辺部材１０で連結することによって矩形枠状に組まれている。
【００１４】
上側辺部材１０は、前後方向へ延びる帯状の金属板からなるもので、該金属板の左右両側縁は下方へ折り曲げられており、左右方向で内側の折り曲げ部１０ａには、前後方向へ長い複数のスリット１４、１４・・が前後方向に並設されていて、後述する上調整金具１１の内端が固定される第１の被固定部として機能するようになっている。また、左右方向で外側の折り曲げ部１０ｂの下端は、内側へ折り曲げられた後に上方へ折り返されており、当該折り返し部１０ｃには複数の固定孔１５、１５・・が前後方向へ並設されていて、上調整金具１１の外端をネジ止め可能な第２の被固定部として機能するようになっている。さらに、折り曲げ部１０ｂの前後長さは、折り曲げ部１０ａや上面部よりも長くなっており、該折り曲げ部１０ｂの前後両端は左右方向で内側へ折り曲げられて、上側辺部材１０の前面１０ｄや後面１０ｅを形成している。そして、該上側辺部材１０は、前面１０ｄを上前辺部材１２の後面に、後面１０ｅを上後辺部材１３の前面に夫々当接させた状態で上前辺部材１２や上後辺部材１３と一体化されるようになっている。なお、１６は、上側辺部材１０の前面１０ｄや後面１０ｅを上前辺部材１２や上後辺部材１３にネジ止めするためのネジ孔である。
【００１５】
一方、上調整金具１１は、左右方向へ延びる帯状の金属板からなるもので、該金属板の前後両縁は上方へ折り曲げられている。また、左右方向で外側の端部は上方へ折り曲げられており、該折り曲げ部１１ｂには丸孔１７、１７が穿設されていて、上側辺部材１０の折り返し部１０ｃにネジ止めするための第２の固定部として機能するようになっている。さらに、左右方向で内側の端部も上方へ折り曲げられており、折り曲げ部１１ａから折り曲げ部１１ｂまでの左右長さは、上側辺部材１０の左右幅（詳しくは、折り曲げ部１０ａから折り返し部１０ｃまでの左右方向での距離）と同じとなっている。また、折り曲げ部１１ａの上下長さは、折り曲げ部１０ｂの上下長さよりも長くなっており、折り曲げ部１１ａの上端には、上側辺部材１０の折り曲げ部１０ａにネジ止めするためのネジ止め孔１９、１９が穿設されている一方、折り曲げ部１１ａの下端には、マウントアングル７の上端がネジ止めされるための連結孔１８、１８が穿設されている。すなわち、折り曲げ部１１ａは、上側辺部材１０の折り曲げ部１０ａにネジ止めするための第１の固定部として機能するとともに、マウントアングル７の上端が連結される上連結部としても機能するようになっている。
【００１６】
そして、上記ラック１の上側での連結構造では、折り曲げ部１１ａのネジ止め孔１９、１９と折り曲げ部１０ａのスリット１４、１４・・とを利用して折り曲げ部１１ａを折り曲げ部１０ａに固定するとともに、折り曲げ部１１ｂの丸孔１７、１７と折り返し部１０ｃの固定孔１５、１５・・とを利用して折り曲げ部１１ｂを折り返し部１０ｃに固定することにより、マウントアングル７を架設したい任意の前後位置において上調整金具１１を上側辺部材１０に固定する。そして、折り曲げ部１１ａの連結孔１８、１８を利用して、折り曲げ部１１ａにマウントアングル７の上端を固定すれば、マウントアングル７の上端側の上枠２への連結が可能となる。なお、上調整金具１１の上側辺部材１０への固定位置は、利用するスリット１４、１４・・や固定孔１５、１５・・を変更することにより、前後方向で調整することができる。
【００１７】
次に各マウントアングル７と下枠４との連結構造について、図６〜図９をもとに説明する。
図６は、ラック１の底面を上方から見下ろす格好で示した斜視説明図である。図７は、下側辺部材２０を示した斜視説明図であり、（ａ）は上方から、（ｂ）は下方から夫々示している。図８は、下調整金具２１を示した斜視説明図であり、（ａ）は上方から、（ｂ）は下方から夫々示している。図９は、左後部に配するマウントアングル７について、下調整金具２１を介してマウントアングル７の下端を下側辺部材２０に連結した状態を示した説明図である。なお、図９では、下側辺部材２０の前部側等の構造を省略している。
【００１８】
下枠４は、前側に配される下前辺部材２２、後側に配される下後辺部材２３、及び左右両側に配される２つの下側辺部材２０、２０を有しており、下前辺部材２２と下後辺部材２３との左端同士及び右端同士を夫々下側辺部材２０で連結することによって矩形枠状に組まれている。
【００１９】
下側辺部材２０は、上側辺部材１０同様に前後方向へ延びる帯状の金属板からなり、該金属板の左右両側縁は上方へ折り曲げられている。また、下側辺部材２０の左右方向で内側の折り曲げ部２０ａは、上端が左右方向で外側へ折り返された格好となっており、折り曲げ部２０ａは、後述する下調整金具２１の内端を載置可能な第１の被取付部として機能するようになっている。さらに、左右方向で外側の折り曲げ部２０ｂは、上端が左右方向で内側に折り曲げられた後に下方へ折り返されており、該折り返し部２０ｃには複数の固定孔２４、２４・・が前後方向に並設されていて、下調整金具２１の外端をネジ止め可能な第２の被取付部として機能するようになっている。
【００２０】
一方、下調整金具２１は、上調整金具１１同様に左右方向へ延びる帯状の金属板からなるもので、該金属板の前後両縁は下方へ折り曲げられている。また、左右方向で外側の端部は下方へ折り曲げられており、該折り曲げ部２１ｂには丸孔２５、２５が穿設されていて、下側辺部材２０の折り返し部２０ｃにネジ止めするための第２の取付部として機能するようになっている。さらに、左右方向で内側の端部も下方へ折り曲げられており、折り曲げ部２１ａから折り曲げ部２１ｂまでの左右長さは、下側辺部材２０の左右幅（詳しくは、折り曲げ部２０ａから折り返し部２０ｃまでの左右方向での距離）と同じとなっている。また、折り曲げ部２１ａの上下長さは、折り曲げ部２０ｂの上下長さよりも長くなっており、折り曲げ部２１ａの上端には、マウントアングル７の下端がネジ止めされるための連結孔２６、２６が穿設されている。さらに、折り曲げ部２１ａの下端は、左右方向で外側へ折り返された格好となっており、下側辺部材２０の折り曲げ部２０ａ上に載置可能となっている。したがって、折り曲げ部２１ａは、下側辺部材２０の折り曲げ部２０ａに取り付けるための第１の取付部として機能するとともに、マウントアングル７の下端が連結される下連結部としても機能することになる。
【００２１】
そして、上記ラック１の下側での連結構造では、折り曲げ部２０ａ上に折り曲げ部２１ａを載置するとともに、折り曲げ部２１ｂの丸孔２５、２５と折り返し部２０ｃの固定孔２４、２４・・とを利用して折り曲げ部２１ｂを折り返し部２０ｃに固定することにより、マウントアングル７を架設したい任意の前後位置において下調整金具２１を下側辺部材２０に固定する。そして、折り曲げ部２１ａの連結孔２６、２６を利用して、折り曲げ部２１ａにマウントアングル７の下端を固定すれば、マウントアングル７の下端側の下枠４への連結が可能となる。なお、下調整金具２１の下側辺部材２０への固定位置は、利用する固定孔２４、２４・・を変更することにより、前後方向で調整することができる。
【００２２】
以上のような構成を有するラック１によれば、上調整金具１１が、左右方向へ延びる金属板からなり、上調整金具１１の左右方向で内側の端部には上方へ折り曲げられた折り曲げ部１１ａが設けられ、該折り曲げ部１１ａの上端に、上側辺部材１０のスリット１４、１４・・を利用して上側辺部材１０に固定可能なネジ止め孔１９、１９が穿設されている一方、折り曲げ部１１ａの下端に、マウントアングル７の上端を固定可能な連結孔１８、１８が穿設されている。また、上調整金具１１の左右方向で外側の端部にも上方へ折り曲げられた折り曲げ部１１ｂが設けられ、該折り曲げ部１１ｂに、上側辺部材１０の固定孔１５、１５・・を利用して上側辺部材１０に固定可能な丸孔１７、１７が穿設されている。したがって、上調整金具１１の左右両端において上側辺部材１０と一体化されることになり、マウントアングル７に電気機器が設置されたとしても上調整金具１１が変形するおそれのないラック１とすることができる。
【００２３】
また、折り曲げ部１１ａにおいて、連結孔１８、１８の上方に、ネジ止め孔１９、１９が設けられているため、マウントアングル７に電気機器を設置した際、マウントアングル７の下端にかかる負荷を軽減することができる。したがって、下枠４（特に下側辺部材２０）や下調整金具２１に設ける強度向上のための曲げ加工を簡素化することができ、ラック１の製造コストの低コスト化を図ることもできる。
【００２４】
さらに、上側辺部材１０における前後両端に、上枠２を組むにあたって、上前辺部材１２や上後辺部材１３の表面に当接する前面１０ｄや後面１０ｅが設けられているため、上枠２の強度向上を図ることができる。
加えて、下調整金具２１が、左右方向へ延びる金属板からなり、下調整金具２１の左右方向で内側の端部には下方へ折り曲げられた折り曲げ部２１ａが設けられ、該折り曲げ部２１ａに、マウントアングル７の下端を固定可能な連結孔２６、２６が穿設されているとともに、折り曲げ部２１ａの先端が更に左右方向で外側へ折り返され、折り曲げ部２１ａが下側辺部材２０の折り曲げ部２０ａ上に載置可能とされている。また、下調整金具１１の左右方向で外側の端部にも下方へ折り曲げられた折り曲げ部２１ｂが設けられ、該折り曲げ部２１ｂに、下側辺部材２０の固定孔２４、２４・・を利用して下側辺部材２０に固定可能な丸孔２５、２５が穿設されている。したがって、下側辺部材２０や下調整金具２１の形状を従来よりも曲げ加工の少ない簡易な形状としているにも拘わらず、十分な強度を備えたラック１とすることができ、更なる低コスト化を実現することができる。
【００２５】
なお、本発明に係る機器収納用ラックは、上記実施形態の態様に何ら限定されるものではなく、ラックの全体的な構成は勿論、上側辺部材、上調整金具、下側辺部材、及び下調整金具等の構成についても必要に応じて適宜変更することができる。
【００２６】
たとえば、上側辺部材や上調整金具さえ本発明が適用されていれば、下側辺部材や下調整金具については、従来と同様の構成を採用したとしても何ら問題はない。
また、上側辺部材、上調整金具、下側辺部材、及び下調整金具に設ける折り曲げ部について、上下どちらに折り曲げるかは適宜設計変更可能であり、たとえば上調整金具の左右両端を下方に折り曲げて折り曲げ部を形成することは当然可能である。
さらに、どのような被固定部や被取付部を設けるかについても適宜変更可能であって、たとえば上記実施形態では、第１の被固定部をスリットとしているが、第１の被固定部を丸孔としてもよいし、第２の被固定部を丸孔とするのではなくスリットとすることも可能である。
加えて、上側辺部材に平面部をどのように設けるかについても設計変更可能で、前面しか設けない、後面しか設けない等としてもよいし、前面も後面も設けないとしても何ら問題はない。
【符号の説明】
【００２７】
１・・ラック（機器収納用ラック）、２・・上枠、４・・下枠、７・・マウントアングル、１０・・上側辺部材、１０ａ・・折り曲げ部（第１の被固定部）、１０ｃ・・折り返し部（第２の被固定部）、１０ｄ・・前面（平面部）、１０ｅ・・後面（平面部）、１１・・上調整金具、１１ａ・・折り曲げ部（第１の固定部、上連結部）、１１ｂ・・折り曲げ部（第２の固定部）、１２・・上前辺部材、１３・・上後辺部材、１４・・スリット（第１の被固定部）、１５・・固定孔（第２の被固定部）、１７・・丸孔（第２の固定部）、１８・・連結孔（上連結部）、１９・・ネジ止め孔（第１の固定部）、２０・・下側辺部材、２０ａ・・折り曲げ部（第１の被取付部）、２０ｃ・・折り返し部（第２の被取付部）、２１・・下調整金具、２１ａ・・折り曲げ部（第１の取付部、下連結部）、２１ｂ・・折り曲げ部（第２の取付部）、２４・・固定孔（第２の被取付部）、２５・・丸孔（第２の取付部）、２６・・連結孔（下連結部）。
【図１】
2022002283.tif 000003
【図２】
2022002283.tif 000004
【図３】
2022002283.tif 000005
【図４】
2022002283.tif 000006
【図５】
2022002283.tif 000007
【図６】
2022002283.tif 000008
【図７】
2022002283.tif 000009
【図８】
2022002283.tif 000010
【図９】
2022002283.tif 000011
【図１０】
2022002283.tif 000012
【図１１】
2022002283.tif 000013